(57)【要約】　　　（修正有）【課題】ファンによって外部の空気を導入し、それを特殊なランプによって光線を照射し、導入した空気を脱臭及び滅菌し、また、反射カバーを介して拡散し出し、周りの環境に綺麗で暖かいエアを満たさせる、光触媒電熱装置を提供する。【解決手段】マシン・ボディ１と、ファン本体２と、中空ケーシング３とを備え、前記ファン本体が前記マシン・ボディに配置され、ファン・メッシュ２１と外方カバー２２からなりつつ収納室４を有し、前記外方カバーが空所を有し、且つ前記収納室へメタル・チューブ２４を延伸し、前記メタル・チューブ内にヒーターが配置され、且つその外縁部に複数の通風口３１が形成され、前記ケーシングが前記外方カバーに連接され、そのある側に複数の通風口が形成され、且つ前記ケーシング内にファンとコントロール・モータ３３と一つまたは一つ以上の特殊なランプ３５を配置し、且つ相互に電気的に接続し、かつ前記特殊なランプには光触媒メッキ膜を有するガラスファイバー・ブシュがつけられる。【選択図】　　　図７
0003096952.tif 000002
【実用新案登録請求の範囲】
【請求項１】
マシン・ボディと、
ファン・メッシュと外方カバーからなり、収納室を備え、前記外方カバーの中央部に空所が形成され、且つ前記収納室へ延伸するメタル・チューブを有し、前記メタル・チューブ内にヒーターが配置され、且つその外縁部に複数の通風口が形成される、前記マシン・ボディに設けられるファン本体と、
前記外方カバーに連結され、そのある側に複数の通風口が形成され、その内方にファンとコントロール・モータと一つまたは一つ以上の特殊なランプが配置され、且つ相互に電気的に接続され、前記特殊なランプには光触媒層が付着される、中空ケーシングと、を備え、
前記ファンが外部の空気を前記通風口より前記ケーシング内に引き込み、前記特殊なランプにおける光触媒の作用によって脱臭、滅菌されたエアを生成し、また、前記ファンによって前記メタル・チューブに送風して加熱し、且つ前記メタル・チューブの通風口より拡散し出す構成としたことを特徴とする光触媒電熱装置。
【請求項２】
前記外方カバーにはさらに金属反射カバーが貼り付けられることを特徴とする請求項１に記載の光触媒電熱装置。
【請求項３】
前記外方カバーにはさらに複数の切りスリットが形成されることを特徴とする請求項１に記載の光触媒電熱装置。
【請求項４】
前記メタル・チューブの通風口箇所にさらに反射板が設けられることを特徴とする請求項１に記載の光触媒電熱装置。
【請求項５】
前記ケーシングには、前記特殊なランプのある側の近傍にさらに光触媒ユニットを配置し、当該光触媒ユニットが陶磁器製の本体を有し、当該本体には複数のスルー・ホールが形成され、且つ当該本体には光触媒がメッキ付着されることを特徴とする請求項１に記載の光触媒電熱装置。
【請求項６】
前記特殊なランプとして紫外線ランプを採用することを特徴とする請求項１に記載の光触媒電熱装置。
【請求項７】
前記特殊なランプには光触媒メッキ膜を有するガラスファイバー・ブシュがつけられることを特徴とする請求項１に記載の光触媒電熱装置。
【請求項８】
前記ケーシングの前記外方カバーに連接する側に前記ケーシングの外方へ向かって後方カバーを配置し、当該後方カバーと前記外方カバーとの間に隙間が形成され、前記特殊なランプがリング状に形成されると共に、前記隙間に配置されることを特徴とする請求項１に記載の光触媒電熱装置。
【請求項９】
前記ケーシングとして透明なケーシングを使用すると共に、その内縁部に光触媒を塗布することを特徴とする請求項１に記載の光触媒電熱装置。
【考案の詳細な説明】
【０００１】
【考案の属する技術分野】
本考案は、光触媒電熱装置に係わり、特に光触媒浄化作用を有する電熱装置に関するものである。
【０００２】
【従来の技術】
さて、図１に示すのは従来の扇風機式ヒーターであり、その構造は、既存の扇風機１ａのアーマチュア１１ａの前端部と後方保護メッシュ・カバー２ａの前側に扇風機１ａの羽根と交換使用可能なヒーターを配置し、当該ヒーターには電熱盤１３ａ，１３ａ’と電熱コイル１４ａを備える放熱シリンダー１５ａと、アーマチュア・シャフト１６ａに取り付けられる小型のメタル羽根１７ａとを含み、そのような装置が扇風機１ａが涼しいエアしか供給しなく、ホット・エアを供給しない。
【０００３】
【考案が解決しようとする課題】
本考案は、電熱装置のケーシング内にファンと特殊なランプを配置すると共に、前記特殊なランプに光触媒メッキ膜を有するガラスファイバー・ブシュをつけ、ファンによって外部の空気を導入し、それを特殊なランプによって光線を照射し、導入した空気を脱臭及び滅菌し、また、反射カバーを介して拡散し出し、周りの環境に綺麗で暖かいエアを満たさせるようにする、光触媒電熱装置を提供することをその主要な目的とする。
【０００４】
二酸化チタンを主成分とする光触媒材料によって微小量の紫外線の照射により触媒反応を生じられ、空気中における細菌を滅菌できると共に、脱臭できる効果をも有する。
【０００５】
【課題を解決するための手段】
前記の目的を図るために、本考案による光触媒電熱装置には、マシン・ボディと、ファン本体と、中空ケーシングとを備え、前記ファン本体が前記マシン・ボディに配置され、ファン・メッシュと外方カバーからなりつつ収納室を有し、前記外方カバーが空所を有し、且つ前記収納室へメタル・チューブを延伸し、前記メタル・チューブ内にヒーターが配置され、且つその外縁部に複数の通風口が形成され、前記ケーシングが前記外方カバーに連接され、そのある側に複数の通風口が形成され、且つ前記ケーシング内にファンとコントロール・モータと一つまたは一つ以上の特殊なランプを配置し、且つ相互に電気的に接続し、かつ前記特殊なランプには光触媒メッキ膜を有するガラスファイバー・ブシュがつけられる。
【０００６】
また、本考案の他の形態の光触媒電熱装置には、マシン・ボディと、ファン本体と、中空ケーシングとを含み、前記ファン本体が前記マシン・ボディに配置され、ファン・メッシュと外方カバーからなりつつ収納室を有し、前記外方カバーの中央部に空所を有し、且つ前記収納室へメタル・チューブを延伸し、前記メタル・チューブ内にヒーターが設けられ、且つその外縁部に複数の通風口が形成され、前記ケーシングが前記外方カバーに連接され、透明なケーシングとなり、内縁部に光触媒が塗布され、且つある側に複数の通風口を有し、前記ケーシング内にファンとコントロール・モータと一つまたは一つ以上の特殊なランプが配置され、且つ相互に電気的に接続され、前記特殊なランプには光触媒メッキ膜を有するガラスファイバー・ブシュがつけられる。
【０００７】
本考案の達成しようとする目的とその採用する技術手段とその効果を詳細に説明するために、以下に添付図面を参照しながら本考案の実施可能な実施の形態を詳細的で具体的に説明するが、それらの具体的な構造は単に本考案の実施可能なある実施例に過ぎず、本考案の主張範囲を狭義的に定義するものではない。
【０００８】
【考案の実施の形態】
図３ないし図６に示すように、本考案による光触媒電熱装置には、マシン・ボディ１と、ファン本体２と、ケーシング３とを含み、そのうち、マシン・ボディ１には電源切り換えスイッチ１１が配置される。また、ファン本体２がマシン・ボディ１の上方に穏やかに配置され、ファン本体２には保護ファン・メッシュ２１と外方カバー２２とを有し、それらの両者は着脱可能に結合され、且つ結合時、中空収納室４を形成し、また、外方カバー２２内に金属反射カバー２３が貼り付けられ、外方カバー２２と反射カバー２３の中央部にすべて空所が形成され、且つそれらの空所箇所に、外方カバー２２より収納室４へ円柱形のメタル・チューブ２４が延伸し、メタル・チューブ２４の先端部にヒーター（図示せず）が配置され、且つメタル・チューブ２４の尾端部周縁部に複数の通風口２４１が形成される。
【０００９】
ケーシング３は内部が中空状に形成され、且つ外方カバー２２の中央の空所の外周囲につけられ、ケーシング３の尾端部に複数の放射状の通風口３１が形成され、ケーシング３の内部にファン３２とコントロール・モータ３３と二つのソケット・セット３４内に挿着される特殊なランプ３５を有し、それらの部材が相互に電気的に接続され、コントロール・モータ３３がファン３２の旋回をコントロールでき、ランプ３５として紫外線ランプを採用でき、それには光触媒層３６がつけられ、それが光触媒メッキ膜を有するガラスファイバー・ブシュを使用できる。
【００１０】
図７に示すように、本考案に電源を投入してから切り換えスイッチ１１をＯＮに切り替える場合、ファン３２が通風口３１外の空気を吸い込み、この際、特殊なランプ３５が点灯しているので、光触媒がランプ３５の出射する紫外線の特殊な作用によって触媒作用を生じ、ケーシング３内の酸素と水分子に酸化力が極めて強い自由基を生成させ、これらの酸化力が極めて強い自由基がほとんどの有機物質を分解でき、自由基が細菌の細胞膜を破壊でき、且つ良好的に脱臭でき、周りの空気に対し光触媒作用を実行することによって滅菌と脱臭の効果を獲得でき、それから浄化された空気がファン３２によってメタル・チューブ２４内に導入され、メタル・チューブ２４内のヒーターによる加熱作用によって空気を加熱してホット・エアを生成し、それを通風口２４１より吐き出し、また、反射カバー２３を通って、それらのホット・エアを均一的にファン・メッシュ２１の外部へ拡散し出すことができ、この際、周りの雰囲気に綺麗で暖かい空気に満たされる。
【００１１】
また、図８に示すように、通風口２４１近傍に反射板２４２を設ける場合、通風口２４１より吹き出されるホット・エアを反射カバー２３によって反射して均一的にファン・メッシュ２１外へ拡散し出させることができるようになる。
【００１２】
また、図９に示すように、外方カバー２２には複数の切りスリット２２１を形成させることによってホット・エアの流通に助力を与えることができる。
【００１３】
また、図１０に示すのは本考案の他の実施の形態であり、その形態において、特殊なランプ３５には光触媒層３６をつける必要はなく、透明なケーシング３’内に光触媒３７を塗布するだけでよく、このような場合では、特殊なランプ３５が光触媒３７を照射する時に同じように光触媒作用を進行でき、且つ前記と同様な効果を生成できる。
【００１４】
また、前記の二つの実施の形態において、ケーシング３内にさらに光触媒ユニットを配置してもよく、当該ユニットには陶磁器製の本体を有し、当該本体には複数のスルー・ホールを有し、前記本体には光触媒がメッキされ、当該こう触媒ユニットを特殊なランプ３５のある側に配置し、そうする場合、特殊なランプ３５の出射する紫外線がその光触媒ユニットを照射できるので、光触媒作用を進行できるようになる（図示せず）。
【００１５】
図１１に示すように、ケーシング３の外方カバー２２に連接する側に、ケーシング３の外方へ向いて後方カバー２５を配置し、後方カバー２５と外方カバー２２との間に隙間２６が形成され、且つ特殊なランプ３５としてリング状の物品を使用し、且つそれを隙間２６に収納し、ファン３２が通風口３１外の空気を吸い込む後に、空気が隙間２６を通ると共に、特殊なランプ３５を通って、光触媒作用を生成する。
【図面の簡単な説明】
【図１】従来の扇風機用電熱装置を示す斜視図である。
【図２】従来の扇風機用電熱装置を示す平面図である。
【図３】本考案を示す斜視図である。
【図４】本考案を示す一部背面斜視図である。
【図５】本考案を示す一部背面分解斜視図である。
【図６】本考案を示す一部背面組立斜視図である。
【図７】本考案の使用状態を示す断面図である。
【図８】本考案に反射板を増設する場合の使用状態を示す断面図である。
【図９】本考案に切りスリットを増設する場合の使用状態を示す断面図である。
【図１０】本考案の他の実施の形態を示す一部平面図である。
【図１１】本考案の他の実施の形態の使用状態を示す断面図である。
【符号の説明】
１　　　マシン・ボディ
２　　　ファン本体
３、３’　ケーシング
４　　　収納室
１１　　切り換えスイッチ
２１　　ファン・メッシュ
２２　　外方カバー
２３　　反射カバー
２４　　メタル・チューブ
２５　　後方カバー
２６　　隙間
３１、２４１　通風口
３２　　ファン
３３　　コントロール・モータ
３４　　ソケット・セット
３５　　特殊なランプ
３６　　光触媒層
３７　　光触媒
２２１　切りスリット
２４２　反射板
【図１】
0003096952.tif 000003
【図２】
0003096952.tif 000004
【図３】
0003096952.tif 000005
【図４】
0003096952.tif 000006
【図５】
0003096952.tif 000007
【図６】
0003096952.tif 000008
【図７】
0003096952.tif 000009
【図８】
0003096952.tif 000010
【図９】
0003096952.tif 000011
【図１０】
0003096952.tif 000012
【図１１】
0003096952.tif 000013